(57)【要約】  【課題】電子機器の操作パネル等に開口した挿入口からカード状の電子装置を挿入し得るように構成されたカード接続装置の取り付け構造において、構造および組立が簡単な取り付け構造に関するものである。  【解決手段】本発明にかかるカード接続装置の取り付け構造においては、電子機器の筐体の表面に開口し開閉扉22が設けられた挿入口21から、カード状の電子装置20を挿入し、前記挿入口21の裏側に配設された接続装置26と前記カード状の電子機器20とを接続し得るように構成されたカード接続装置の取り付け構造２において、前記開閉扉22の軸221を、前記筐体の一部に設けた軸受け溝24と前記接続装置26のフレーム261の一部に設けた押さえ部材262とで回動可能に挟み込んで支持した。【選択図】      図３
2005196309.tif 000002
【特許請求の範囲】
【請求項１】
電子機器の筐体の表面に開口し開閉扉が設けられた挿入口から、カード状の電子装置を挿入し、前記挿入口の裏側に配設された接続装置と前記カード状の電子機器とを接続し得るように構成されたカード接続装置の取り付け構造において、
前記開閉扉の軸を、前記筐体の一部と前記接続装置のフレームの一部とで回動可能に挟み込んで支持したことを特徴とするカード接続装置の取り付け構造。
【発明の詳細な説明】
【技術分野】
【０００１】
本発明は、電子機器の操作パネル等に開口した挿入口からカード状の電子装置を挿入し得るように構成されたカード接続装置の取り付け構造に関するものである。
【背景技術】
【０００２】
従来より、カード状の記憶媒体を、着脱し得るように構成された電子機器がある。そのような電子機器としては、例えば、図１に示したような高機能無線通信機や、パソコン等がある。
このような電子機器の操作パネル等には、前記カード状の記憶媒体を挿入するための挿入口が開口している。そして、前記カード状の記憶媒体を引き抜いて使用しない場合に前記挿入口を閉じるために開閉扉が配設されている。前記開閉扉は、カード状の記憶媒体を射し込んだときに押し開かれ、引き抜いたときに閉じられるように、軸によって電子機器の筐体側に支持されるとともに、バネ等によって閉じる方向に付勢されている。
【発明の開示】
【発明が解決しようとする課題】
【０００３】
ところが、上述したような従来の構造の開閉扉を電子機器に取り付けるためには、前記開閉扉の軸を支持するための軸受け構造もしくは軸受け部品が必要となるとともに、前記軸受け構造に嵌め込む作業もしくは前記軸受け部品を取り付けるための細工が必要となるという問題があった。
【０００４】
そこで、本発明は、前記カード状の記憶媒体が挿入されて接続される接続機構の一部で、前記開閉扉の軸を支持し得るような構造の提供を目的としてなされたものである。
【課題を解決するための手段】
【０００５】
本発明にかかるカード接続装置の取り付け構造においては、
電子機器の筐体の表面に開口し開閉扉が設けられた挿入口から、カード状の電子装置を挿入し、前記挿入口の裏側に配設された接続装置と前記カード状の電子機器とを接続し得るように構成されたカード接続装置の取り付け構造において、
前記開閉扉の軸を、前記筐体の一部と前記接続装置のフレームの一部とで回動可能に挟み込んで支持したことを特徴とするカード接続装置の取り付け構造。
という手段を講じた。
【０００６】
本発明では、電子機器としては、無線通信機、パソコン、プリンタ、電子楽器等の種々の電子機器を対象とし、カード状の電子機器としては、コンパクトフラッシュ(登録商標）メモリを内蔵したカード、磁気ディスクを内蔵したカード、各種ネットワーク機能を内蔵したカード等の機能を備えたカード等を対象とし、接続装置としては、前記カード状の電子機器に対応したドライブ装置等を対象としている。前記開閉扉は閉じる方向に付勢されるとよい。前記開閉扉の軸を回動可能に挟み込むために、筐体側に軸受け溝を凹設しても、フレーム側に軸受け溝を凹設しても、両側に凹設してもよい。
【発明の効果】
【０００７】
本発明にかかるカード接続装置の取り付け構造によれば、
電子機器のカード着脱機構の挿入口に設けられた開閉扉の軸を、筐体の一部と接続装置のフレームの一部とで回動可能に挟み込んで支持したので、開閉軸を支持するための部品を別途用意する必要も無く、また、開閉軸を軸受け穴に差し込む作業や、そのような部品を別途取り付けるという作業も必要としない。
【発明を実施するための最良の形態】
【０００８】
以下に、本発明にかかるカード接続装置の取り付け構造を、その実施の形態を示した図面に基づいて詳細に説明する。
図１は、本発明のカード接続装置の取り付け構造を採用した高機能な無線通信機の全体斜視図であり、図中、無線通信機１の前面に配設された操作パネル11の一部に、本発明に係るカード接続装置の取り付け構造２が構成されている。このカード接続装置の取り付け構造２は、コンパクトフラッシュメモリを内蔵したカード20を挿入してデータの読み書きができる接続装置を備えている。
【０００９】
カード接続装置の取り付け構造２の挿入口21は、前記操作パネル11に向かって左下部分に開口しており、その挿入口21には開閉扉22が開閉可能に設けられている。この挿入口21の近傍には、挿入されたカード20を排出させるための押しボタン23が配設されている。
この開閉扉22は、図２に示したように、前記カード20を挿入していないほぼ垂直な閉じた状態（図２の（ａ））から、前記カード20を挿入して後方に押されてぼ水平になって開いた状態（図２の（ｂ））まで開閉可能に設けられている。
【００１０】
図３に、本発明にかかるカード接続装置の取り付け構造の要部を示して説明する。
図３は、前記操作パネル11を裏面側から見た部分的な分解斜視図である。図３において、前記操作パネル11の挿入口21の裏面には、開閉扉22の左右両側の軸221、221を遊装するための軸受け溝24、24が凹設されている。この軸受け溝24、24の深さは前記軸221、221の径より僅かに大きく形成されている。
また、一方の軸221にはこの開閉扉22を閉じる方向に付勢するためのつる巻バネ25が設けられている。
【００１１】
26は挿入されたカード20と接続するためのコネクタや、前記カード20との間でデータの読み書きをするためのインターフェース回路や電源供給回路が内蔵された接続装置である。この接続装置26は丈夫なフレーム261を備えている。このフレーム261は例えば鉄板を板金加工して所定の形状に成形したものである。
前記接続装置26には前述したような押しボタン23が取り付けられている。
【００１２】
前記接続装置26のフレーム261が操作パネル11に当接する部分（前記フレーム261の端面）には、前記軸受け溝24、24を押さえて蓋をする押さえ部材262、262が形成されている。図４に、前記接続装置26の前面（操作パネル11に当接する側の面）の斜視図を示した。図示したように、接続装置26のフレーム261の端面に、前記押さえ部材262、262が形成されている。
これらの押さえ部分262、262の位置は、前記軸受け溝24、24とほぼ同じ間隔で、前記開閉扉22の軸221、221を押さえ得る間隔に形成されている。
なお、前記接続装置26は、フレーム261に形成された取り付け部材263、263によって、前記操作パネル11の裏面に凸設された受け部（図示しない。）にネジ止め等される。
【００１３】
図５には、前記カード接続装置の取り付け構造２の使用状態の要部の側面断面図を示した。
図５に示したように、操作パネル11の裏面に形成された軸受け溝24に遊装された開閉扉22の軸221は、前記操作パネル11の裏側に固定された接続装置26のフレーム261に形成された押さえ部材262によって押さえられて支持されている。即ち、図５においては、前記開閉扉22の軸を、当該無線通信機１の筐体を構成する操作パネル11の一部である前記軸受け溝24と、接続装置23のフレーム261の一部である押さえ部材262とによって回動可能に挟み込んで支持している。
なお、図５においては、左右一対の軸受け溝24、24、軸221、221押さえ部材262、262のうちの一方のみを示して他方は省略した。
【００１４】
前記カード接続装置の取り付け構造２は以上のように構成し、軸受け溝24、24を設けるだけでよいので、カード接続装置の取り付け構造２の組み立てにおいては、開閉扉22の軸221を支持するための軸受け部材を別途必要としない。また、前記軸受け溝24、24に遊装した軸221、221は、前記接続装置26を固定するときに、前記軸受け溝24、24内に保持されるので、軸を保持する部品の取り付け作業等を必要としない。
また、前記接続装置26は、カード20を排出させるために押しボタン23を強く押しても良いように、十分な強度を備えたフレーム261が十分な強度で、操作パネル11に固定されているので、前記開閉扉22の軸221、221を確実に保持することができる。
【実施例１】
【００１５】
本実施例においては、前記カード20には、当該無線通信機で使用した周波数データや、各種設定値を保存し得るようにした。そして、前記カード20を挿入するときには、前記開閉扉22を押し開けて差し込み、前記カード20と前記接続装置23とを接続して、データの書き込みもしくは読み出しを行う。そして、前記カード20を取り外すときには、前記押しボタン23を押し込むと、前記カード20が前記接続装置23から排出される。排出されたカード20を引き抜くと、前記開閉扉22がつる巻バネ25による付勢力によって閉じられ、操作パネル11の裏面に当たった状態で止まる。
このようにして、カード20を抜き差しする度に前記開閉扉22は回動するのである。
【産業上の利用可能性】
【００１６】
本発明は、無線通信機、パソコン、プリンタ、電子楽器等の種々の電子機器におけるカード接続装置の取り付け構造に応用することができる。また、コンパクトフラッシュメモリを内蔵したカード、磁気ディスクを内蔵したカード、各種ネットワーク機能を内蔵したカード等の機能を備えたカード等の電子機器に利用することができる。
【図面の簡単な説明】
【００１７】
【図１】本発明にかかるカード接続装置の取り付け構造の実施の形態を採用した無線通信機の斜視図である。
【図２】前記カード接続装置の取り付け構造の開閉扉の動作を説明する側面断面図である。
【図３】前記カード接続装置の取り付け構造を説明する要部の分解斜視図である。
【図４】前記カード接続装置の取り付け構造の接続装置を前面側から見た要部の斜視図である。
【図５】前記カード接続装置の取り付け構造の要部の側面断面図である。
【符号の説明】
【００１８】
１  無線通信機
11  操作パネル
２  カード接続装置の取り付け構造
20  カード
21  挿入口
22  開閉扉
221  軸
23  押しボタン
24  軸受け溝
26  接続装置
261  フレーム
262  押さえ部材
【図１】
2005196309.tif 000003
【図２】
2005196309.tif 000004
【図３】
2005196309.tif 000005
【図４】
2005196309.tif 000006
【図５】
2005196309.tif 000007